(57)【要約】      （修正有）【課題】観賞用の花の劣化を抑え、より一層見栄えの向上を図ることが可能な観賞用ブロックを提供する。【解決手段】観賞用ブロックは、筒体１１ａと筒体の一端を閉塞する底板１１ｂとからなる収納ボックス１１と、収納ボックスの開放部を接着剤を介して閉塞し、透明性を有する材料により形成された蓋体１５と、を備え、収納ボックス１１は、筒体と底板とが一体成型され、蓋体１５は、酸素を透さないポリエチレンテレフタレートを主原料として構成され、表面又は裏面の少なくとも一方に紫外線の透過を抑制する紫外線カットフィルムが貼り付けられている。内部空間にアルゴンガスを封入しておくことにより、花の劣化の原因となる温度、酸化、湿度及び紫外線の４要素のうち、酸化及び紫外線の２要素について改善される。【選択図】図１
0003189589.tif 000002
【実用新案登録請求の範囲】
【請求項１】
筒体と前記筒体の一端を閉塞する底板とからなる収納ボックスと、
前記収納ボックスの開放部を接着剤を介して閉塞し、透明性を有する材料により形成された蓋体と、を備え、
前記収納ボックスは、前記筒体と前記底板とが一体成型され、
前記蓋体は、ポリエチレンテレフタレートを主原料として構成され、表面又は裏面の少なくとも一方に紫外線の透過を抑制する紫外線カットフィルムが貼り付けられている
ことを特徴とする観賞用ブロック。
【請求項２】
前記収納ボックス内に収納される台座部品をさらに備え、
前記台座部品は、前記収納ボックスの内側に嵌る下板と、前記下板の中央部から前記収納ボックスの開放側に前記筒体から飛び出さない程度に突出する柱部材と、前記柱部材の先端に設けられた台座板と、前記下板の端部から前記収納ボックスの開放側に前記筒体から飛び出さない程度に突出する保持板と、を有し、
前記収納ボックスの開放部を側方に向けた場合において、前記保持板は前記筒体の内側面に接触する
ことを特徴とする請求項１に記載の観賞用ブロック。
【請求項３】
第１の平板と第２の平板と前記第１及び第２の平板を接続する曲板とを有した断面略Ｕ字形状の用紙保持部材をさらに備え、
前記用紙保持部材は、前記第１の平板と前記第２の平板との間において、用紙を挟持可能であり、前記第１の平板と前記第２の平板のいずれか一方の外側面が前記台座板に取り付け固定される
ことを特徴とする請求項２に記載の観賞用ブロック。
【請求項４】
前記柱部材の周囲且つ前記下板上に配置され、前記収納ボックス内において花を支持固定するための花台座をさらに備える
ことを特徴とする請求項２又は請求項３のいずれかに記載の観賞用ブロック。
【請求項５】
前記蓋体により開放部が閉塞された収納ボックスの前記蓋体側を除いて覆う意匠ボックスと、
前記意匠ボックスの開放側端部と前記蓋体の縁部との双方に跨ると共に前記蓋体の中央側に空間部を有する枠部材と、
をさらに備えることを特徴とする請求項１から請求項４のいずれか１項に記載の観賞用ブロック。
【請求項６】
透明性を有する材料によって形成されたデザイン板をさらに有し、
前記デザイン板は、表面又は裏面に絵柄が施された平板部と、前記枠部材の背面側に引っ掛かる鉤部とを備え、この鉤部が前記枠部材の背面側に引っ掛かることにより前記平板部が前記枠部材上に設置される
ことを特徴とする請求項５に記載の観賞用ブロック。
【請求項７】
前記意匠ボックスは、筒部材と、前記筒部材の一端を閉塞すると共に取り外し可能な底面板と、前記筒部材の内側に向かって突出して前記底面板の取り外し時において前記収納ボックスが前記筒部材の一端側から離脱することを防止する突起部と、を有し、
前記突起部は、前記筒部材に対して着脱可能となっている
ことを特徴とする請求項５又は請求項６のいずれかに記載の観賞用ブロック。
【考案の詳細な説明】
【技術分野】
【０００１】
本考案は、装飾材料を内部に封じ込んで、装飾用置物として用いることができる観賞用ブロックに関する。
【背景技術】
【０００２】
従来、一部が透明性を有する材料により形成された容器の内部空間を透明性の仕切壁により仕切り、仕切られた前方空間と後方空間とのそれぞれに装飾材料を収納可能とした観賞用ブロックが提案されている（特許文献１参照）。
【先行技術文献】
【特許文献】
【０００３】
【特許文献１】特開２０１３−２４０９５７号公報
【考案の概要】
【考案が解決しようとする課題】
【０００４】
ここで、観賞用ブロック内の装飾材料には花を用いることが多い。しかし、特許文献１に記載の観賞用ブロックでは以下の点で花の劣化を招く可能性があった。
【０００５】
まず、本件考案者は観賞用ブロックについて鋭意研究を重ねた結果、花が、温度、酸化、湿度及び紫外線の４要素により劣化することを見出した。そして、特許文献１に記載の観賞用ブロックでは、花の酸化防止のため容器内をアルゴンガス等で充満させることとしている。しかし、観賞用ブロック自体の密閉性の問題から容器内に酸素が浸入してしまう可能性がある。特に、容器の一部に用いられる透明性を有する材料が例えばアクリルであった場合には、アクリル自体が酸素を透してしまうため、容器内に酸素が浸入してしまう。
【０００６】
本考案はこのような従来の課題を解決するためになされたものであり、その目的とするところは、より花の劣化を抑えることが可能な観賞用ブロックを提供することにある。
【課題を解決するための手段】
【０００７】
本考案の観賞用ブロックは、筒体と前記筒体の一端を閉塞する底板とからなる収納ボックスと、前記収納ボックスの開放部を接着剤を介して閉塞し、透明性を有する材料により形成された蓋体と、を備え、前記収納ボックスは、前記筒体と前記底板とが一体成型され、前記蓋体は、ポリエチレンテレフタレートを主原料として構成され、表面又は裏面の少なくとも一方に紫外線の透過を抑制する紫外線カットフィルムが貼り付けられていることを特徴とする。
【０００８】
この観賞用ブロックによれば、筒体と底板とが一体成型された収納ボックスの開放部を接着剤を介して蓋体で閉塞するため、底板や筒体が一体成型されていない場合と比較して、収納ボックスの密閉性が向上する。また、蓋体はポリエチレンテレフタレートを主原料として構成されているため、アクリルのように酸素を透すことがない。加えて、蓋体に紫外線カットフィルムが貼り付けられているため、紫外線の透過量を抑制する。以上より、内部空間にアルゴンガス等を封入しておくことにより、花の劣化の原因となる温度、酸化、湿度及び紫外線の４要素のうち、酸化及び紫外線の２要素について改善されることとなる。従って、より花の劣化を抑えることが可能な観賞用ブロックを提供することができる。
【０００９】
また、本考案の観賞用ブロックは、前記収納ボックス内に収納される台座部品をさらに備え、前記台座部品は、前記収納ボックスの内側に嵌る下板と、前記下板の中央部から前記収納ボックスの開放側に前記筒体から飛び出さない程度に突出する柱部材と、前記柱部材の先端に設けられた台座板と、前記下板の端部から前記収納ボックスの開放側に前記筒体から飛び出さない程度に突出する保持板と、を有し、前記収納ボックスの開放部を側方に向けた場合において、前記保持板は前記筒体の内側面に接触することが好ましい。
【００１０】
この観賞用ブロックによれば、収納ボックスの開放部を側方に向けた場合において、保持板は筒体の内側面に接触するため、例えば収納ボックスの開放部を側方に向けたことにより下板ごと台座板が倒れてしまう事態を防止することができる。よって、台座板に写真等を貼りつけることで、収納ボックスの開放部を側方に向けて設置した場合にも、蓋体側から写真等を視認可能とすることができ、装飾性を向上させることができる。
【００１１】
また、本考案の観賞用ブロックにおいて、第１の平板と第２の平板と前記第１及び第２の平板を接続する曲板とを有した断面略Ｕ字形状の用紙保持部材をさらに備え、前記用紙保持部材は、前記第１の平板と前記第２の平板との間において、用紙を挟持可能であり、前記第１の平板と前記第２の平板のいずれか一方の外側面が前記台座板に取り付け固定されることが好ましい。
【００１２】
この観賞用ブロックによれば、用紙保持部材は、第１の平板と第２の平板との間において、用紙を挟持可能であり、第１の平板と第２の平板のいずれか一方の外側面が台座板に取り付け固定されるため、例えば台座板に写真等を貼りつけることなく、用紙保持部材により写真等を挟持させて用紙保持部材を台座板に取り付けることにより、写真の曲がりや反り返り等を防止でき、一層装飾性を向上させることができる。
【００１３】
また、本考案の観賞用ブロックにおいて、前記柱部材の周囲且つ前記下板上に配置され、前記収納ボックス内において花を支持固定するための花台座をさらに備えることが好ましい。
【００１４】
この観賞用ブロックによれば、柱部材の周囲且つ下板上に配置され、収納ボックス内において花を支持固定するための花台座をさらに備えるため、収納ボックス内における花の固定状態を維持でき、収納ボックスの置き方に応じて花がボックス内で移動したり偏ったりする自体を防止することができる。
【００１５】
また、本考案の観賞用ブロックにおいて、前記蓋体により開放部が閉塞された収納ボックスの前記蓋体側を除いて覆う意匠ボックスと、前記意匠ボックスの開放側端部と前記蓋体の縁部との双方に跨ると共に前記蓋体の中央側に空間部を有する枠部材と、をさらに備えることが好ましい。
【００１６】
この観賞用ブロックによれば、意匠ボックスと、意匠ボックスの開放側端部と蓋体の縁部との双方に跨る枠部材とを備えるため、これらによって花を収納する収納ボックス自体が意匠性に乏しくとも意匠ボックスと枠部材により高級感を持たせることができる。
【００１７】
また、本考案の観賞用ブロックにおいて、透明性を有する材料によって形成されたデザイン板をさらに有し、前記デザイン板は、表面又は裏面に絵柄が施された平板部と、前記枠部材の背面側に引っ掛かる鉤部とを備え、この鉤部が前記枠部材の背面側に引っ掛かることにより前記平板部が前記枠部材上に設置されることが好ましい。
【００１８】
この観賞用ブロックによれば、表面又は裏面に絵柄が施された平板部と枠部材の背面側に引っ掛かる鉤部とを有したデザイン板をさらに備えるため、デザイン板の絵柄により一層意匠性を向上させることができ、且つ、デザイン板により蓋体を保護することができる。
【００１９】
また、本考案の観賞用ブロックにおいて、前記意匠ボックスは、筒部材と、前記筒部材の一端を閉塞すると共に取り外し可能な底面板と、前記筒部材の内側に向かって突出して前記底面板の取り外し時において前記収納ボックスが前記筒部材の一端側から離脱することを防止する突起部と、を有し、前記突起部は、前記筒部材に対して着脱可能となっていることが好ましい。
【００２０】
この観賞用ブロックによれば、意匠ボックスは、取り外し可能な底面板と筒部材に対して着脱可能な突起部とを備えるため、底面板及び突起部の順に取り外すことにより、意匠ボックスの背面側から収納ボックスを取り出すことができ、意匠ボックスと枠部材とを接着固定した場合には、接着部分を剥離する必要が無く、収納ボックス内の花等の入れ替え作業を効率良く行うことができる。
【考案の効果】
【００２１】
本考案の観賞用ブロックによれば、より花の劣化を抑えることができる。
【図面の簡単な説明】
【００２２】
【図１】本考案の実施形態に係る観賞用ブロックの分解斜視図であって、内部ブロック群を示している。
【図２】本考案の実施形態に係る観賞用ブロックの分解斜視図であって、外部ブロック群を示している。
【図３】意匠ボックスを裏面側から見たときの斜視図であり、（ａ）は裏面側全体を示し、（ｂ）は一部構成を取り除いた状態を示し、（ｃ）は一部構成のみを示している。
【図４】本考案の実施形態に係る観賞用ブロックの内部空間に花及び写真を入れたときの正面図である。
【考案を実施するための形態】
【００２３】
以下、本考案の好適な実施形態を図面に基づいて説明するが、本考案は以下の実施形態に限定されるものではない。
【００２４】
図１及び図２は、本考案の実施形態に係る観賞用ブロックの分解斜視図であって、図１は内部ブロック群を示し、図２は外部ブロック群を示している。
【００２５】
図１及び図２に示すように、観賞用ブロック１（図４参照）は、図１に示す内部ブロック群１０と、図２に示す外部ブロック群２０とから構成されている。
【００２６】
内部ブロック群１０は、収納ボックス１１と、台座部品１２と、用紙保持部材１３と、花台座１４と、蓋体１５とを備えている。
【００２７】
収納ボックス１１は、筒体１１ａと、底板１１ｂと、鍔部１１ｃとから構成されている。筒体１１ａは、略四角錐台からなる筒状に形成された部材である。底板１１ｂは、略四角錐台からなる筒体１１ａの一端を閉塞する部材であって、略正方形状又は略長方形状の平板として構成されている。鍔部１１ｃは、略四角錐台からなる筒体１１ａの他端近傍において筒外側に張り出すように形成され略正方形状の外形を有する枠体である。
【００２８】
この収納ボックス１１は、筒体１１ａと、底板１１ｂと、鍔部１１ｃとが合成樹脂にて一体成型されており、各部１１ａ〜１１ｃにはつなぎ目等がない構造とされている。また、収納ボックス１１の筒体１１ａは、成型時における型抜きを円滑にすべく、抜き勾配θが設けられており、筒内側における断面積（筒の軸に平行な面における断面積）は一端側よりも他端側が大きくなっている。
【００２９】
台座部品１２は、収納ボックス１１内に収納されるものである。この台座部品１２は、下板１２ａと、柱部材１２ｂと、台座板１２ｃと、複数の保持板１２ｄと、を有している。
【００３０】
下板１２ａは、収納ボックス１１の内側に嵌る板材であって、収納ボックス１１の底板１１ｂに接触又は所定距離離間した状態で底板１１ｂと平行に配置される略正方形状又は略長方形状の板材である。柱部材１２ｂは、下板１２ａの中央部から収納ボックス１１の開放側に筒体１１ａから飛び出さない程度に突出するものであり、具体的に筒体１１ａの高さの約３分の１〜２分の１程度の長さとされている。
【００３１】
台座板１２ｃは、柱部材１２ｂの先端に設けられた板材であって、下板１２ａと平行配置されると共に下板１２ａの約５分の１〜２分の１程度の面積とされている。複数の保持板１２ｄは、下板１２ａの端部から収納ボックス１１の開放側に筒体１１ａから飛び出さない程度に突出する板材である。本実施形態において保持板１２ｄは、４つであり、正方形状となる下板１２ａの各頂点から収納ボックス１１の開放側に突出している。また、複数の保持板１２ｄは、それぞれが略四角錐台をなす筒体１１ａに沿うように、角度θ（＝抜き勾配θ）だけ外方に傾いた状態となっている。
【００３２】
このように、複数の保持板１２ｄが角度θだけ外方に傾いた状態となっているため、保持板１２ｄが筒体１１ａの内側面に接触することとなり、収納ボックス１１の開放部を側方に向けた状態において台座板１２ｃを鉛直状態に保持するができる。
【００３３】
なお、本実施形態において、柱部材１２ｂと台座板１２ｃとは、アクリルやポリエチレンテレフタレート等を主原料とした透明性を有する材料により形成されており、下板１２ａと複数の保持板１２ｄが有色の材料により形成されている。しかし、これに限らず、台座部品１２は、全体が透明性を有する材料により形成されてもよいし、全体が有色の材料により形成されていてもよい。
【００３４】
用紙保持部材１３は、用紙を挟持可能とする断面略Ｕ字形状の板材であって、第１の平板１３ａと第２の平板１３ｂと第１及び第２の平板１３ａ，１３ｂを接続する曲板１３ｃとを有している。この用紙保持部材１３は、第１及び第２の平板１３ａ，１３ｂ間の隙間は非常に小さくされており、この隙間に写真紙等の用紙を挟持可能としている。また、用紙保持部材１３は、第１の平板１３ａと第２の平板１３ｂのいずれか一方の外側面が台座板１２ｃに取り付け固定される。固定方法は、接着剤でもよいが、後の取り外しを考慮すると両面テープ等が適切である。
【００３５】
なお、本実施形態において用紙保持部材１３は、アクリルやポリエチレンテレフタレート等を主原料とした透明性を有する材料により形成されているが、これに限らず、第１及び第２の平板１３ａ，１３ｂのいずれか一方と曲板１３ｃとが有色の材料により構成され、第１及び第２の平板１３ａ，１３ｂのいずれか他方が透明性を有する材料により形成されていてもよい。すなわち、用紙保持部材１３は、収納ボックス１１の開放側から視認した場合において、写真等が視認可能であればどのように構成されていてもよい。
【００３６】
花台座１４は、柱部材１２ｂの周囲且つ下板１２ａ上に配置されるやや厚みを有した板材である。この花台座１４は、収納ボックス１１内において花を支持固定するものであって、好適には発泡スチロールが用いられる。このような花台座１４は、中央部に開孔１４ａが形成されており、柱部材１２ｂ及び台座板１２ｃは、この開孔１４ａを貫通することとなる。
【００３７】
蓋体１５は、透明性を有する材料により形成された板材であって、収納ボックス１１の開放部を接着剤（例えばシリコン材）を介して閉塞するものである。この蓋体１５は、縁部において裏面側（組立たときの収納ボックス１１側）に周状の溝１５ａが形成されている。この溝１５ａは、収納ボックス１１の鍔部１１ｃから突出する収納ボックス１１の先端１１ｄが嵌るようになっている。このため、蓋体１５と収納ボックス１１との接着距離を長く確保して接着性を高めるように構成している。
【００３８】
さらに、蓋体１５は、ポリエチレンテレフタレートを主原料として構成され、表面（裏面でも可）に紫外線の透過を抑制する紫外線カットフィルムが貼り付けられている。これにより、蓋体１５は酸素の透過を防止すると共に、紫外線の透過についても抑制することとなる。
【００３９】
以上のような内部ブロック群１０は、図２に示す外部ブロック群２０内に収納されることとなる。図２に示すように、外部ブロック群２０は、意匠ボックス２１と、枠部材２２と、台紙２３と、デザイン板２４とを備えている。
【００４０】
意匠ボックス２１は、四角筒の一端を閉塞した箱型構造であって、蓋体１５により開放側が閉塞された収納ボックス１１の蓋体１５側を除いて覆う木箱により構成されている。この意匠ボックス２１は、開放側の淵部分に４つの突起部２１ａが形成されている。この突起部２１ａは後述する枠部材２２の突起受け部２２ａに嵌り込む構造となっている。
【００４１】
枠部材２２は、意匠ボックス２１の開放側端部と蓋体１５の縁部との双方に跨ると共に蓋体１５の中央側に空間部を有する枠状の部材である。この枠部材２２は、絵画等の額縁と同様に、木材や金属部材により構成されており、適宜装飾が施されている。また、枠部材２２が木材により構成されている場合には、ニス材により表面保護と光沢向上とが図られていてもよい。
【００４２】
このような枠部材２２は、裏面側に４つの突起受け部２２ａが形成されている。この４つの突起受け部２２ａは、意匠ボックス２１の突起部２１ａに嵌り込む構造となっている。これにより、枠部材２２は意匠ボックス２１に取り付けられる。なお、突起受け部２２ａには接着剤が充填され、そのうえで突起部２１ａが嵌り込むことが望ましい。
【００４３】
台紙２３は、意匠ボックス２１と枠部材２２との間に介在する厚紙であって、枠部材２２と同様に中央側に空間部を有して形成されている。また、この台紙２３は、枠内側から枠外側に向けて４つの切り欠き部２３ａを有している。この切り欠き部２３ａは、意匠ボックス２１の突起部２１ａの位置と対応して形成されている。
【００４４】
デザイン板２４は、透明性を有する材料によって形成され、平板部２４ａと、鉤部２４ｂとを備えている。平板部２４ａは、表面又は裏面に絵柄Ｐが施された装飾板である。鉤部２４ｂは、平板部２４ａの端部に接続されて平板部２４ａの裏面側に伸びる第１板２４ｂ１と、第１板２４ｂ１の先端に接続されてデザイン板２４の内側に伸びる第２板２４ｂ２により構成されている。この鉤部２４ｂは、略正方形状又は略長方形状を有するデザイン板２４の４辺のうち対向する２辺に対して形成されている。このため、デザイン板２４は枠部材２２に対してスライド挿入可能となる。そして、平板部２４ａは、鉤部２４ｂの第２板２４ｂ２が枠部材２２の背面側に引っ掛かることにより、枠部材２２上に配置されることとなる。
【００４５】
図３は、意匠ボックス２１を裏面側から見たときの斜視図であり、（ａ）は裏面側全体を示し、（ｂ）は一部構成を取り除いた状態を示し、（ｃ）は一部構成のみを示している。図３に示すように意匠ボックス２１は分解可能となっており、この分解構造により収納ボックス１１内の花等の入れ替え作業を効率良く行うことができる。
【００４６】
詳細に意匠ボックス２１は、筒部材２１ｂと、底面板２１ｃと、突起部２１ｄとを備えている。筒部材２１ｂは、図３（ａ）に示すように、４枚の板を組み合わせて形成された四角筒である。底面板２１ｃは、筒部材２１ｂの一端を閉塞すると共に取り外し可能な板材である。この底面板２１ｃには、底面板２１ｃの取り外しを容易とすべく、指等の挿入切り欠き２１ｃ１が形成されている。この挿入切り欠き２１ｃ１は、底面板２１ｃの４辺のうち、１つの辺から内側に曲状に切り欠いて形成されている。
【００４７】
また、この底面板２１ｃを取り除くと、図３（ｂ）に示すように、４つの突起部２１ｄが裏面側から露出する。４つの突起部２１ｄは、筒部材２１ｂの内側に向かって突出して底面板２１ｃの取り外し時において収納ボックス１１が筒部材２１ｂの裏面側から離脱することを防止するものであって、四角柱により構成されている。すなわち、４つの突起部２１ｄが設けられることにより、収納ボックス１１は裏面側から脱落しないように支えられる構造となっている。
【００４８】
さらに、４つの突起部２１ｄは、筒部材２１ｂに対して着脱可能となっている。具体的には図３（ｃ）に示すように、突起部２１ｄのそれぞれは、四角柱の側壁に対して垂直に伸びる２本の突出棒２１ｄ１を有している。また、筒部材２１ｂには、２本の突出棒２１ｄ１が嵌る穴部（図示せず）が形成されている。このため、突起部２１ｄは、筒部材２１ｂの穴部から２本の突出棒２１ｄ１を抜くことにより、突起部２１ｄを取り外すことができ、これにより４つの突起部２１ｄは、筒部材２１ｂに対して着脱可能となっている。
【００４９】
次に、本実施形態に係る観賞用ブロック１の組立方法を説明する。まず、作業者は内部ブロック群１０を作成する。この内部ブロック群１０の作成にあたり、作業者は、収納ボックス１１内に台座部品１２を配置し、台座部品１２の台座板１２ｃ上に用紙保持部材１３を貼り付け等する。次いで、例えば花の茎が差し込まれたりテープ等にて花が貼りつけられたりした花台座１４を柱部材１２ｂの周囲に配置し、用紙保持部材１３に写真紙を挟持させる。その後、作業者は、収納ボックス１１の鍔部１１ｃにシリコン材等の接着剤を塗布し、収納ボックス１１の先端１１ｄを蓋体１５の溝１５ａに嵌め込む。
【００５０】
以上により、内部ブロック群１０が製造される。なお、内部ブロック群１０の内部については酸素を除去しておくことはいうまでもない。例えば、収納ボックス１１に不活性ガス注入用の孔（１箇所）が予め設けられている場合、開放側を蓋体１５によって閉塞した後に不活性ガス注入用の孔からアルゴンガスや窒素ガスなどの不活性ガスを注入し、その後、不活性ガス注入用の孔を封入する。このほか、収納ボックス１１の開放側を蓋体１５によって閉塞するまえに、収納ボックス１１内に酸化鉄（食用の脱酸素剤がより望ましい）を投入しておき、酸化鉄の化学反応により収納ボックス１１内の酸素を消費させるようにしてもよい。
【００５１】
さらに、台座部品１２の下板１２ａの裏面側には除湿剤を投入しておくことが望ましい。
【００５２】
次に、作業者は外部ブロック群２０を作成する。この際、作業者は、意匠ボックス２１内に組立後の内部ブロック群１０を収納する。次いで、意匠ボックス２１の突起部２１ａと切り欠き部２３ａとが対応するように台紙２３を載置し、その上から枠部材２２を被せる。このとき、作業者は、枠部材２２の突起受け部２２ａ内に接着剤を充填しておき、突起受け部２２ａを突起部２１ａに嵌め込む。その後、作業者は、デザイン板２４を枠部材２２に対してスライド挿入する。これにより、第２板２４ｂ２が枠部材２２の背面側に引っ掛かり抜け止めされることとなる。
【００５３】
以上により、観賞用ブロック１の組立が完了する。そして、デザイン板２４の正面から観賞用ブロック１を視認した場合には、図４に示すように認識される。図４に示すように、観賞用ブロック１の中央には用紙保持部材１３により挟持された写真紙ＰＰが見え、その写真紙ＰＰの周囲には花が視認される。これにより、装飾性豊かな観賞用ブロック１が提供される。
【００５４】
なお、収納ボックス１１内の花や写真紙を取り換えたい場合、作業者は、まず意匠ボックス２１の裏面側の底面板２１ｃを挿入切り欠き２１ｃ１を介して取り外す。次に、４つの突起部２１ｄを取り外し、意匠ボックス２１の裏面側から内部ブロック群１０を取り出す。
【００５５】
その後、作業者は蓋体１５を取り外して花や写真紙を取り換える。以後、上記と同様にして内部ブロック群１０を組み立て、意匠ボックス２１内に裏面側から内部ブロック群１０を収納する。次いで、作業者は、４つの突起部２１ｄを取り付け、底面板２１ｃを嵌め込む。
【００５６】
以上により、花や写真紙の取り換え作業についても行うことができる。
【００５７】
このようにして、本実施形態に係る観賞用ブロック１によれば、筒体１１ａと底板１１ｂとが一体成型された収納ボックス１１の開放部を接着剤を介して蓋体１５で閉塞するため、底板１１ｂや筒体１１ａが一体成型されていない場合と比較して、収納ボックス１１の密閉性が向上する。また、蓋体１５はポリエチレンテレフタレートを主原料として構成されているため、アクリルのように酸素を透すことがない。加えて、蓋体１５に紫外線カットフィルムが貼り付けられているため、紫外線の透過量を抑制する。以上より、内部空間にアルゴンガス等を封入しておくことにより、花の劣化の原因となる温度、酸化、湿度及び紫外線の４要素のうち、酸化及び紫外線の２要素について改善されることとなる。従って、より花の劣化を抑えることが可能な観賞用ブロック１を提供することができる。
【００５８】
また、収納ボックス１１の開放部を側方に向けた場合において、保持板１２ｄは筒体の内側面に接触するため、例えば収納ボックス１１の開放部を側方に向けたことにより下板１２ａごと台座板１２ｃが倒れてしまう事態を防止することができる。よって、台座板１２ｃに写真等を貼りつけることで、収納ボックス１１の開放部を側方に向けて設置した場合にも、蓋体１５側から写真等を視認可能とすることができ、装飾性を向上させることができる。
【００５９】
また、用紙保持部材１３は、第１の平板１３ａと第２の平板１３ｂとの間において、用紙を挟持可能であり、第１の平板１３ａと第２の平板１３ｂのいずれか一方の外側面が台座板１２ｃに取り付け固定されるため、例えば台座板１２ｃに写真等を貼りつけることなく、用紙保持部材１３により写真等を挟持させて用紙保持部材１３を台座板１２ｃに取り付けることにより、写真の曲がりや反り返り等を防止でき、一層装飾性を向上させることができる。
【００６０】
また、柱部材１２ｂの周囲且つ下板１２ａ上に配置され、収納ボックス１１内において花を支持固定するための花台座１４をさらに備えるため、収納ボックス１１内における花の固定状態を維持でき、収納ボックスの置き方に応じて花がボックス内で移動したり偏ったりする自体を防止することができる。
【００６１】
また、意匠ボックス２１と、意匠ボックス２１の開放側端部と蓋体１５の縁部との双方に跨る枠部材２２とを備えるため、これらによって花を収納する収納ボックス１１自体が意匠性に乏しくとも意匠ボックス２１と枠部材２２により高級感を持たせることができる。
【００６２】
また、表面又は裏面に絵柄が施された平板部２４ａと枠部材２２の背面側に引っ掛かる鉤部２４ｂとを有したデザイン板２４をさらに備えるため、デザイン板２４の絵柄により一層意匠性を向上させることができ、且つ、デザイン板２４により蓋体１５を保護することができる。
【００６３】
また、意匠ボックス２１は、取り外し可能な底面板２１ｃと筒部材２１ｂに対して着脱可能な突起部２１ｄとを備えるため、底面板２１ｃ及び突起部２１ｄの順に取り外すことにより、意匠ボックス２１の背面側から収納ボックス１１を取り出すことができ、意匠ボックス２１と枠部材２２とを接着固定した場合には、接着部分を剥離する必要が無く、収納ボックス１１内の花等の入れ替え作業を効率良く行うことができる。
【００６４】
以上、実施形態に基づき本考案を説明したが、本考案は上記実施形態に限られるものではなく、本考案の趣旨を逸脱しない範囲で、変更を加えてもよい。
【００６５】
例えば、本実施形態において装飾材料は花及び写真であるが、写真に代えて、ブーケ等の把持部分に巻かれていた布材を切り取ったものなど、他の装飾材料を収納してもよい。さらに、本実施形態では収納ボックス１１内に脱酸素剤を投入しておくことが望ましい。
【符号の説明】
【００６６】
１        ：観賞用ブロック
１０      ：内部ブロック群
１１      ：収納ボックス
１１ａ    ：筒体
１１ｂ    ：底板
１１ｃ    ：鍔部
１１ｄ    ：先端
１２      ：台座部品
１２ａ    ：下板
１２ｂ    ：柱部材
１２ｃ    ：台座板
１２ｄ    ：保持板
１３      ：用紙保持部材
１３ａ    ：第１の平板
１３ｂ    ：第２の平板
１３ｃ    ：曲板
１４      ：花台座
１４ａ    ：開孔
１５      ：蓋体
１５ａ    ：溝
２０      ：外部ブロック群
２１      ：意匠ボックス
２１ａ    ：突起部
２１ｂ    ：筒部材
２１ｃ    ：底面板
２１ｃ１  ：挿入切り欠き
２１ｄ    ：突起部
２１ｄ１  ：突出棒
２２      ：枠部材
２２ａ    ：突起受け部
２３      ：台紙
２３ａ    ：切り欠き部
２４      ：デザイン板
２４ａ    ：平板部
２４ｂ    ：鉤部
２４ｂ１  ：第１板
２４ｂ２  ：第２板
Ｐ        ：絵柄
ＰＰ      ：写真紙
θ        ：抜き勾配
【図１】
0003189589.tif 000003
【図２】
0003189589.tif 000004
【図３】
0003189589.tif 000005
【図４】
0003189589.tif 000006